(57)【要約】      （修正有）【課題】身体を動かしてもボディ部がずり上がって横皺ができるのを抑えると共に、着用した場合に圧迫感がないボディメーク下着を提供する。【解決手段】ボディメーク下着１０はボディ部１２と第１腕部と第２腕部１６とネック部１８と、から構成されている。ボディ部１２の前身頃１２Ａには前身頃中央パーツ２０が配設されている。前身頃中央パーツ２０の一側には前身頃第１サイドパーツが配設され、他側には前身頃第２サイドパーツ２８が配設されている。ボディ部１２の後身頃１２Ｂには後身頃中央パーツ３０が配設されている。この後身頃中央パーツ３０は後身頃中央第１パーツと後身頃中央第２パーツ３４とから構成されている。後身頃中央第１パーツの一側には後身頃第１サイドパーツが配設され、後身頃中央第２パーツ３４の他側には後身頃第２サイドパーツ４２が配設されている。【選択図】図３
0003188475.tif 000002
【実用新案登録請求の範囲】
【請求項１】
長尺状の生地を裁断して形成された複数の前身頃構成パーツを縫製して形成された前身頃と、前記生地を裁断して形成された複数の後身頃構成パーツを縫製して形成された後身頃と、を縫製して形成されたボディ部を備えたボディメーク下着であって、前記前身頃構成パーツ及び前記後身頃構成パーツの上下方向を前記生地の横方向に向かわせて前記前身頃構成パーツ及び前記後身頃構成パーツを裁断して形成したことを特徴とするボディメーク下着。
【請求項２】
長尺状の生地を裁断して形成された前身頃中央パーツ，前身頃第１サイドパーツ，前身頃第２サイドパーツを縫製して形成された前身頃と、前記生地を裁断して形成された後身頃中央第１パーツ，後身頃中央第２パーツ，後身頃第１サイドパーツ，後身頃第２サイドパーツを縫製して形成された後身頃と、を縫製して形成されたボディ部を備えたボディメーク下着であって、前記前身頃中央パーツ，前記前身頃第１サイドパーツ，前記前身頃第２サイドパーツ，前記後身頃中央第１パーツ，前記後身頃中央第２パーツ，前記後身頃第１サイドパーツ，前記後身頃第２サイドパーツの上下方向を前記生地の横方向に向かわせて前身頃中央パーツ，前記前身頃第１サイドパーツ，前記前身頃第２サイドパーツ，前記後身頃中央第１パーツ，前記後身頃中央第２パーツ，前記後身頃第１サイドパーツ，前記後身頃第２サイドパーツを裁断して形成したことを特徴とするボディメーク下着。
【請求項３】
前記後身頃第１サイドパーツ及び前記後身頃第２サイドパーツの一側縁は直線状の第１一側縁と直線状の第２一側縁とによって切り込むように形成し、前記後身頃第１サイドパーツ及び前記後身頃第２サイドパーツの他側縁は円弧状に形成したことを特徴とする請求項２記載のボディメーク下着。
【考案の詳細な説明】
【技術分野】
【０００１】
本考案は、ドレス等の下に着用して身体のラインを補正するボディメーク下着に関し、詳しくは身体のラインを補正すると共に身体を動かしてもボディ部がずり上がることを抑えることができるボディメーク下着に関する。
【背景技術】
【０００２】
女性がドレス等を着用する場合において、ドレス等を着用したときの身体のラインが美しく見えるようにドレス等の下に着用して身体のラインを補正するボディメーク下着が知られている。
このボディメーク下着のボディ部の下着用パーツを形成する長尺状の生地は、図６に示されるように長尺状の生地１の縦方向（生地１の長手方向、図６矢印Ａ方向）に配設される縦糸２（図６に一部拡大概略図で示す）と生地１の横方向（生地１の幅方向、図６矢印Ｂ方向）に配設される横糸３（図６に一部拡大概略図で示す）を織って形成されているが、このタイプの生地１は横方向（生地１の幅方向、図６矢印Ｂ方向）に向かって伸び易い性質を有している。
前記生地１でボディメーク下着のボディ部を作る場合は、前記生地１にボディ部を構成する下着用パーツ毎にかたどられたパーツ型紙４の上下方向が生地１の縦方向（生地１の長手方向、図６矢印Ａ方向）に向かうようにしてパーツ型紙４を置き、パーツ型紙４の外縁に沿って生地１を裁断し、裁断して形成された複数枚の下着用パーツを縫製してボディメーク下着のボディ部を作っている。
このため、前記下着用パーツを縫製して作られたボディメーク下着のボディ部は横方向に伸び易くなっている。
このように横方向に伸び易いボディ部を作る理由は、メーカーにとってボディ部が横方向に伸び易ければボディメーク下着の汎用性が増し、サイズアイテムを少なくできるメリットがあるからである。
しかし、前記ボディメーク下着は身体のラインを補正することを主目的としているため、着用者は自分の身体のサイズより小さめのサイズのボディメーク下着を選択して着用して身体のラインを補正している。
この結果、小さめのボディメーク下着を着用して身体を動かしたりするとボディメーク下着のボディ部がずり上がってボディ部に横皺ができ、上に着用しているドレスにもボディ部の横皺が影響を及ぼしてドレスにも横皺ができてしまうという不具合が生じる。
また、小さめのボディメーク下着を着用すると圧迫感が強く、身体を動かすと息苦しくなると共に胸が押されて乳房が必要以上に押し上げられてバストラインが美しくなくなるという不具合がある。
【考案の概要】
【考案が解決しようとする課題】
【０００３】
本考案は、上記事実に鑑みなされたものであり、身体のラインを補正するだけでなく身体を動かしてもボディ部がずり上がって横皺ができるのを抑えることができると共に着用した場合に圧迫感が強くないボディメーク下着を提供するものである。
【課題を解決するための手段】
【０００４】
請求項１の考案は、長尺状の生地を裁断して形成された複数の前身頃構成パーツを縫製して形成された前身頃と、前記生地を裁断して形成された複数の後身頃構成パーツを縫製して形成された後身頃と、を縫製して形成されたボディ部を備えたボディメーク下着であって、前記前身頃構成パーツ及び前記後身頃構成パーツの上下方向を前記生地の横方向に向かわせて前記前身頃構成パーツ及び前記後身頃構成パーツを裁断して形成したことを特徴としている。
請求項２の考案は、長尺状の生地を裁断して形成された前身頃中央パーツ，前身頃第１サイドパーツ，前身頃第２サイドパーツを縫製して形成された前身頃と、前記生地を裁断して形成された後身頃中央第１パーツ，後身頃中央第２パーツ，後身頃第１サイドパーツ，後身頃第２サイドパーツを縫製して形成された後身頃と、を縫製して形成されたボディ部を備えたボディメーク下着であって、前記前身頃中央パーツ，前記前身頃第１サイドパーツ，前記前身頃第２サイドパーツ，前記後身頃中央第１パーツ，前記後身頃中央第２パーツ，前記後身頃第１サイドパーツ，前記後身頃第２サイドパーツの上下方向を前記生地の横方向に向かわせて前身頃中央パーツ，前記前身頃第１サイドパーツ，前記前身頃第２サイドパーツ，前記後身頃中央第１パーツ，前記後身頃中央第２パーツ，前記後身頃第１サイドパーツ，前記後身頃第２サイドパーツを裁断して形成したことを特徴としている。
請求項３の考案は、前記後身頃第１サイドパーツ及び前記後身頃第２サイドパーツの一側縁は直線状の第１一側縁と直線状の第２一側縁とによって切り込むように形成し、前記後身頃第１サイドパーツ及び前記後身頃第２サイドパーツの他側縁は円弧状に形成したことを特徴としている。
【考案の効果】
【０００５】
本考案のボディメーク下着は、自分の身体のサイズに合った着用することにより身体のラインを補正できると共に着用後に身体を動かしてもボディ部がずり上がって横皺ができるのを抑えることができるという優れた効果を有する。
本考案のボディメーク下着は、着用者の身体のサイズに合ったサイズのボディメーク下着を着用するので圧迫感がなく身体を動かしても息苦しさや胸が押される等の不快感を感じないという優れた効果を有する。
本考案のボディメーク下着は、着用者の身体のサイズに合ったサイズのボディメーク下着を着用するので圧迫されて胸が押されて乳房が押し上げられることがないのでバストラインを美しく見せることができるという優れた効果を有する。
請求項３のボディメーク下着は、上記優れた効果の他にボデイ部の両サイドの身体のラインの補正効果をより高めることができるという優れた効果を有している。
【図面の簡単な説明】
【０００６】
【図１】実施例のボディメーク下着の正面図である。
【図２】実施例のボディメーク下着の背面図である。
【図３】実施例のボディメーク下着の右側面図である。
【図４】実施例のボディメーク下着のボディ部のパーツ型紙を生地の上に置いた状態の平面図である。
【図５】実施例のボディメーク下着のボディ部を構成する前身頃第１中央パーツ、前身頃第２中央パーツ、前身頃第１サイドパーツ、前身頃第２サイドパーツ、後身頃中央第１パーツ、後身頃中央第２パーツ、後身頃第１サイドパーツ、後身頃第２サイドパーツの平面図である。
【図６】従来のボディメーク下着を製造する生地にパーツ型紙を置いた状態の平面図である。
【考案を実施するための形態】
【０００７】
考案を実施するために最良の形態の例として以下のような実施例を示す。
【実施例１】
【０００８】
図１〜図５には本考案に係るボディメーク下着の一実施例が示されている。なお、この実施例ではダンス用ドレス（図示せず）の下に着用されるボディメーク下着を一例にして説明する。
図１及び図２に示されるように、ボディメーク下着１０はボディ部１２と第１腕部１４と第２腕部１６とネック部１８と、から構成されている。また、図３に示されるように、前記ボディ部１２は前身頃１２Ａと後身頃１２Ｂから構成されている。
図１に示されるように、前記ボディ部１２の前身頃１２Ａの中央には前身頃中央パーツ２０が配設されている。この前身頃中央パーツ２０は前身頃第１中央パーツ２２と前身頃第２中央パーツ２４を縫製して形成されている。
前記前身頃中央パーツ２０の一側には前身頃第１サイドパーツ２６が配設されている。また、前身頃中央パーツ２０の他側には前身頃第２サイドパーツ２８が配設されている。
図２に示されるように、前記ボディ部１２の後身頃１２Ｂの中央には後身頃中央パーツ３０が配設されている。この後身頃中央パーツ３０は後身頃中央第１パーツ３２と後身頃中央第２パーツ３４とから形成されている。この後身頃中央第１パーツ３２と後身頃中央第２パーツ３４の下部は縫着されて後身頃中央第１パーツ３２と後身頃中央第２パーツ３４は一体となり、後身頃中央第１パーツ３２の上部、中間部と後身頃中央第２パーツ３４の上部、中間部の間にはファスナー３６が取り付けられている。従って、このファスナー３６を開閉することにより後身頃中央第１パーツ３２の上部、中間部と後身頃中央第２パーツ３４の上部、中間部を開けたり閉じたりすることができるようになっている。
前記後身頃中央パーツ３０の一側には後身頃第１サイドパーツ４０が配設されている。また、前記後身頃中央パーツ３０の他側にはバック後身頃第２サイドパーツ４２が配設されている。
図１に示されるように、前記前身頃第２中央パーツ２４の下端部内側にはホック４４を構成する凸ホック部４４Ａが取り付けられている。また、図２に示されるように前記後身頃中央第１パーツ３２と前記後身頃中央第２パーツ３４の下端部内側には凸ホック部４４Ａと共にホック４４を構成する凹ホック部４４Ｂが取り付けられている。
これにより、前身頃中央パーツ２０の下端部と前記後身頃中央パーツ３０の下端部を連結したり連結解除したりできるようになっている。また、凸ホック部４４Ａと凹ホック部４４Ｂを連結することにより、図１及び図３に示されるようにボディ部１２の下端部に脚部挿通孔４６，４６が形成されるようになっている。
図１及び図２に示されるように、前記ボディ部１２の一側には前記第１腕部１４が取り付けられ、他側には前記第２腕部１６が取り付けられている。
また、前記ボディ部１２の上端部には前記ネック部１８が取り付けられている。
【０００９】
次に、前記ボディメーク下着１０を作る場合について説明する。
図４に示されるように、生地１の上に前記前身頃第１中央パーツ２２の型をかたどった前身頃第１中央パーツ型紙５０、前記前身頃第２中央パーツ２４の型をかたどった前身頃第２中央パーツ型紙５２、前身頃第１サイドパーツ２６の型をかたどった前身頃第１サイドパーツ型紙５４、前身頃第２サイドパーツ２８の型をかたどった前身頃第２サイドパーツ型紙５６、後身頃中央第１パーツ３２の型をかたどった後身頃中央第１パーツ型紙５８、後身頃中央第２パーツ３４の型をかたどった後身頃中央第２パーツ型紙６０、後身頃第１サイドパーツ４０の型をかたどった後身頃第１サイドパーツ型紙６２、後身頃第２サイドパーツ４２の型をかたどった後身頃第２サイドパーツ型紙６４を、それぞれ並べて配設する。
この場合、前記前身頃第１中央パーツ型紙５０、前身頃第２中央パーツ型紙５２、前身頃第１サイドパーツ型紙５４、前身頃第２サイドパーツ型紙５６、後身頃中央第１パーツ型紙５８、後身頃中央第２パーツ型紙６０、後身頃第１サイドパーツ型紙６２、後身頃第２サイドパーツ型紙６４の上下方向を、前記生地１の横方向（図４矢印Ｂ方向）に向かうようにして置く。
そして、前記前身頃第１中央パーツ型紙５０、前身頃第２中央パーツ型紙５２、前身頃第１サイドパーツ型紙５４、前身頃第２サイドパーツ型紙５６、後身頃中央第１パーツ型紙５８、後身頃中央第２パーツ型紙６０、後身頃第１サイドパーツ型紙６２、後身頃第２サイドパーツ型紙６４の外縁に沿って鋏で生地１を裁断する。
これにより、図５に示されるように前記前身頃第１中央パーツ２２、前身頃第２中央パーツ２４、前身頃第１サイドパーツ２６、前身頃第２サイドパーツ２８、後身頃中央第１パーツ３２、後身頃中央第２パーツ３４、後身頃第１サイドパーツ４０、後身頃第２サイドパーツ４２、が形成される。
従って、前身頃第１中央パーツ２２、前身頃第２中央パーツ２４、前身頃第１サイドパーツ２６、前身頃第２サイドパーツ２８、後身頃中央第１パーツ３２、後身頃中央第２パーツ３４、後身頃第１サイドパーツ４０、後身頃第２サイドパーツ４２は上下方向に向かって生地１の横糸３が位置するので、前身頃第１中央パーツ２２、前身頃第２中央パーツ２４、前身頃第１サイドパーツ２６、前身頃第２サイドパーツ２８、後身頃中央第１パーツ３２、後身頃中央第２パーツ３４、後身頃第１サイドパーツ４０、後身頃第２サイドパーツ４２は上下方向には伸び易いが横方向には伸び難く形成される。
なお、前記後身頃第１サイドパーツ４０の一側縁４０Ａは直線状の第１一側縁４０ａ１と直線状の第２一側縁４０ａ２とによって切り込むように形成され、前記後身頃第１サイドパーツ４０の他側縁４０Ｂは緩やかな円弧状に形成されている。同様に前記後身頃第２サイドパーツ４２の一側縁４２Ａは直線状の第１一側縁４２ａ１と直線状の第２一側縁４２ａ２とによって切り込むように形成され、前記後身頃第２サイドパーツ４２の他側縁４２Ｂは緩やかな円弧状に形成されている。
そして、前記前身頃第１中央パーツ２２の下端縁２２Ａと前身頃第２中央パーツ２４の上端縁２４Ａを縫製して前身頃中央パーツ２０を形成し、前身頃第１中央パーツ２２の一側縁２２Ｂ、前身頃第２中央パーツ２４の一側縁２４Ｂと前身頃第１サイドパーツ２６の一側縁２６Ａを縫製し、前身頃第１中央パーツ２２の他側縁２２Ｃ、前身頃第２中央パーツ２４の他側縁２４Ｃと前身頃第２サイドパーツ２８の一側縁２８Ａを縫製することにより、前身頃１２Ａを形成する。
また、前記後身頃中央第１パーツ３２の一側縁３２Ａの下部と後身頃中央第２パーツ３４の一側縁３４Ａの下部を縫製すると共に後身頃中央第１パーツ３２の一側縁３２Ａの上部、中間部と後身頃中央第２パーツ３４の一側縁３４Ａの上部、中間部の間にファスナー３６を取り付けて後身頃中央パーツ３０を形成し、後身頃中央第１パーツ３２の他側縁３２Ｂと後身頃第１サイドパーツ４０の他側縁４０Ｂを縫製すると共に後身頃中央第２パーツ３４の他側縁３４Ｂと後身頃第２サイドパーツ４２の他側縁４２Ｂを縫製することにより、後身頃１２Ｂを形成する。
そして、前記前身頃１２Ａと後身頃１２Ｂを縫製し、前記前身頃中央パーツ２０の下端部内側に凸ホック部４４Ａを取り付け、前記後身頃中央第１パーツ３２と前記後身頃中央第２パーツ３４の下端部内側に凹ホック部４４Ｂを取り付けてボディ部１２が完成する。
最後にボディ部１２に第１腕部１４と、第２腕部１６と、ネック部１８を縫製することによりボディメーク下着１０が完成する。
【００１０】
次に実施例のボディメーク下着１０の作用を説明する。
前記ボディメーク下着１０のボディ部１２を構成する前身頃正面中央パーツ２０、前身頃第１サイドパーツ２６、前身頃第２サイドパーツ２８、後身頃中央パーツ３０、後身頃第１サイドパーツ４０、後身頃第２サイドパーツ４２は横方向に伸び難くため、ボディ部１２は横方向に伸び難く形成されている。
従って、ボディメーク下着１０を着用する場合は着用者の体型サイズに合ったボディメーク下着１０を着用して無理なく身体のラインを補正することができる。
しかも、ボディ部１２を構成する後身頃第１サイドパーツ４０の一側縁４０Ａは直線状の第１一側縁４０ａ１と直線状の第２一側縁４０ａ２とによって切り込むように形成されると共に後身頃第１サイドパーツ４０の他側縁４０Ｂは緩やかな円弧状に形成されている。同様に前記後身頃第２サイドパーツ４２の一側縁４２Ａは直線状の第１一側縁４２ａ１と直線状の第２一側縁４２ａ２とによって切り込むように形成されると共に後身頃第２サイドパーツ４２の他側縁４２Ｂは緩やかに円弧状に形成されている。この結果、後身頃第１サイドパーツ４０、後身頃第２サイドパーツ４２が配設されるボデイ部１２の両サイドは身体のラインの補正効果をより高めることができるようになっている。
また、ボディメーク下着１０を着用する場合は着用者の体型に合ったサイズのボディメーク下着１０を着用するため身体を動かしてもボディ部１２がずり上がって横皺ができるのを抑えることができるためボディメーク下着１０の上に着用したダンスドレスがボディ部１２の影響を受けて横皺ができるのを防止することができる。
さらに、着用者は着用者の身体のサイズに合ったボディメーク下着１０を着用するので圧迫感がなく身体を動かしても息苦しさや胸が押される等の不快感を感じないという優れた効果を有する。
さらに、ボディメーク下着１０は、着用者の身体のサイズに合ったサイズのボディメーク下着１０を着用するので胸が圧迫されて乳房が押し上げられることがないのでバストラインを美しく見せることができる。
【００１１】
なお、実施例のボディメーク下着１０のボディ部１２は前身頃第１中央パーツ２２、前身頃第２中央パーツ２４、前身頃第１サイドパーツ２６、前身頃第２サイドパーツ２８、後身頃中央第１パーツ３２、後身頃中央第２パーツ３４、後身頃第１サイドパーツ４０、後身頃第２サイドパーツ４２から構成されているが、ボディ部１２の構成パーツは実施例のパーツよりも多くても少なくてもよいことは勿論である。
【００１２】
なお、ボデイメーク下着の形状は実施例に示したボデイメーク下着の形状に限定されないことは勿論である。
また、実施例では生地を裁断する場合に鋏を使用したが、生地を裁断するのは鋏に限定されないことは勿論である。
【産業上の利用可能性】
【００１３】
本考案のボディメーク下着はダンス用ドレス以外のドレスや衣服を着用する場合に着用することができる。
【符号の説明】
【００１４】
１０        ボディメーク下着
１２        ボディ部
１２Ａ      前身頃
１２Ｂ      後身頃
１４        第１腕部
１６        第２腕部
１８        ネック部
２０        前身頃中央パーツ
２２        前身頃第１中央パーツ
２４        前身頃第２中央パーツ
２６        前身頃第１サイドパーツ
２８        前身頃第２サイドパーツ
３０        後身頃中央パーツ
３２        後身頃中央第１パーツ
３４        後身頃中央第２パーツ
３６        ファスナー
４０        後身頃第１サイドパーツ
４０Ａ      一側縁
４０ａ１    第１一側縁
４０ａ２    第２一側縁
４０Ｂ      他側縁
４２        後身頃第２サイドパーツ
４２Ａ      一側縁
４２ａ１    第１一側縁
４２ａ２    第２一側縁
４２Ｂ      他側縁
４４        ホック
４６        脚部挿通孔
【図１】
0003188475.tif 000003
【図２】
0003188475.tif 000004
【図３】
0003188475.tif 000005
【図４】
0003188475.tif 000006
【図５】
0003188475.tif 000007
【図６】
0003188475.tif 000008